(57)【要約】【課題】雨戸収納部材を貫通することなく簾を取付け可能であって、取付けられた簾の加重にも十分耐えることのできる簾用の引っ掛け具及びこれを用いた簾取付構造を提供する。【解決手段】建物開口部Wの外側上部に設けられた雨戸収納部材Ｘに取付けられる簾Ｙ用の引っ掛け具Ａであって、連結部３を介して一片１と他片２が開閉自在であって、これら一片１と他片２の裏面には粘着層４が設けられ、上記一片１には、外側に向けて突出された掛止部５を形成すると共に、この一片１の上端には、内側に向けて突設した係止部６を形成する。【選択図】図１
2006167438.tif 000002
【特許請求の範囲】
【請求項１】
建物開口部の外側上部に設けられた雨戸収納部材に取付けられる簾用の引っ掛け具であって、
連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成したことを特徴とする簾用の引っ掛け具。
【請求項２】
建物開口部の外側上部に設けられた雨戸収納部材に取付けられる簾用の引っ掛け具であって、
連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成した引っ掛け具本体と、
上端には、引っ掛け具本体の掛止部に掛止可能な被掛止部を設け、その下端には、簾を係止可能な吊下げ部を形成してなる吊下げ体と、よりなることを特徴とする簾用の引っ掛け具。
【請求項３】
請求項２において、
吊下げ体は、帯状に形成すると共に、上下方向に所定の間隔をあけて被掛止部を構成する複数の孔部が開設され、所望の孔部を引っ掛け具本体の掛止部に掛止して吊下げ体の長さ調整を可能な構造にしている簾用の引っ掛け具。
【請求項４】
請求項１〜３の何れかにおいて、
上下方向に所定の間隔をあけて複数の掛止部を形成したことを特徴とする簾用の引っ掛け具。
【請求項５】
建物開口部の外側上部に設けられた雨戸収納部材に取付けられ、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成した簾用の引っ掛け具を構成し、
上記引っ掛け具の一片の係止部を、雨戸収納部材の前面側の上端角隅部に係止させると共に、一片及び他片を粘着層を介して雨戸収納部材に貼着し、且つ、引っ掛け具の掛止部に、簾の上部骨材を引っ掛けてなることを特徴とする簾取付構造。
【請求項６】
建物開口部の外側上部に設けられた雨戸収納部材に取付けられ、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成した引っ掛け具本体と、上端には、引っ掛け具本体の掛止部に掛止可能な被掛止部を設け、その下端には、簾を係止可能な吊下げ部を形成してなる吊下げ体と、よりなる簾用の引っ掛け具を構成し、
上記引っ掛け具本体の一片の係止部を、雨戸収納部材の前面側の上端角隅部に係止させると共に、一片及び他片を粘着層を介して雨戸収納部材に貼着し、且つ、引っ掛け具本体の掛止部に、吊下げ体の被掛止部を掛止すると共に、この吊下げ体の吊下げ部に、簾の上部骨材を引っ掛けてなることを特徴とする簾取付構造。
【請求項７】
建物開口部の外側上部に設けられた雨戸収納部材に取付けられる簾用の引っ掛け具であって、
曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成してなり、
前記粘着層を除く全ての部位が、一体成形されたことを特徴とする簾用の引っ掛け具。
【請求項８】
請求項７において、
一片の下端には、簾を係止可能な吊下げ体が、更に一体成形されたことを特徴とする簾用の引っ掛け具。
【請求項９】
請求項８において、
吊下げ体は、帯状に形成すると共に、上下方向に所定の間隔をあけて被掛止部を構成する複数の孔部が開設され、所望の孔部を引っ掛け具本体の掛止部に掛止して吊下げ体の長さ調整を可能な構造にしている簾用の引っ掛け具。
【請求項１０】
請求項７〜９の何れかにおいて、
上下方向に所定の間隔をあけて複数の掛止部を形成したことを特徴とする簾用の引っ掛け具。
【請求項１１】
建物開口部の外側上部に設けられた雨戸収納部材に取付けられ、曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成し、前記粘着層を除く全ての部位が一体成形された簾用の引っ掛け具を構成し、
上記引っ掛け具の一片の係止部を、雨戸収納部材の前面側の上端角隅部に係止させると共に、一片及び他片を粘着層を介して雨戸収納部材に貼着し、且つ、引っ掛け具の掛止部に、簾の上部骨材を引っ掛けてなることを特徴とする簾取付構造。
【請求項１２】
建物開口部の外側上部に設けられた雨戸収納部材に取付けられ、曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成し、前記粘着層を除く全ての部位が一体成形された引っ掛け具本体と、
前記一片の下端には、下方に向けて一体成形された簾を係止可能な吊下げ部を形成し、この吊下げ部には、前記引っ掛け具本体の掛止部に掛止可能な被掛止部を設けてなる吊下げ体と、よりなる簾用の引っ掛け具を構成し、
上記引っ掛け具本体の一片の係止部を、雨戸収納部材の前面側の上端角隅部に係止させると共に、一片及び他片を粘着層を介して雨戸収納部材に貼着し、且つ、引っ掛け具本体の掛止部に、吊下げ体の被掛止部を掛止すると共に、この吊下げ体の吊下げ部に、簾の上部骨材を引っ掛けてなることを特徴とする簾取付構造。
【発明の詳細な説明】
【技術分野】
【０００１】
本発明は、例えば、建物開口部の外側上部の雨戸収納部材に取付けられる簾用の引っ掛け具及びこれを用いた簾取付構造に関する。
【背景技術】
【０００２】
家屋の窓・出入口等の建物開口部の外側には、風雨を遮ると共に、防犯上からシャッター式或いは引戸式の雨戸が開閉自在に設けられている。
【０００３】
これらの雨戸は、建物開口部の外側上部に雨戸収納部材を突設し、例えば、シャッター式雨戸では、下面開口箱体よりなる雨戸収納部材を設け、この雨戸収納部材にシャッター式雨戸を巻き取って収納するようにしており、また引戸式雨戸では、建物開口部の外側に雨戸レールよりなる雨戸収納部材を設け、この雨戸収納部材に引戸式雨戸をスライドさせて収納するようにしている（例えば、特許文献１参照。）。
【０００４】
これら雨戸は、建物内への風雨を確実に遮断できると共に、建物開口部からの侵入を防止する防犯上からも有効であるため、一般に使用されているが、その反面、雨戸の不使用時には、光を確実に遮断することができず、且つ、外部から建物内部が見えるため、日射の遮蔽やプライバシーの保護を図れない難点がある。
【０００５】
一方、日射を遮蔽し、プライバシーの保護を図りながら、建物内に風を呼び込むこともできるものとして、簾が知られている。
【特許文献１】特開平１０−２８０８３１号
【発明の開示】
【発明が解決しようとする課題】
【０００６】
しかしながら、従来から、雨戸収納部材には、簾を取付けることが考慮されていないため、簾を取付けることはできなかった。
【０００７】
そこで、本出願人は、例えば、基板に簾を吊下げて引っ掛ける掛止部を形成すると共に、前記基板の裏面に両面テープ等の粘着層を設けた簾用の引っ掛け具も考えたが、粘着層の貼着力だけでは、簾の加重に耐えることが不十分であり、雨戸収納部材から粘着層が剥がれて、簾が落ち易いという問題があった。
【０００８】
本発明は、かかる課題を解決することを目的とするものであり、雨戸収納部材に簾を簡単に取付け可能であって、取付けられた簾の加重にも十分耐えて簾を確実に取付けることのできる簾用の引っ掛け具及びこれを用いた簾取付構造を提供する。
【課題を解決するための手段】
【０００９】
上記目的を達成するため、
請求項１に係る簾用の引っ掛け具は、建物開口部の外側上部に設けられた雨戸収納部材に取付けられる簾用の引っ掛け具であって、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成したことを特徴とする。
【００１０】
請求項２に係る簾用の引っ掛け具は、建物開口部の外側上部に設けられた雨戸収納部材に取付けられる簾用の引っ掛け具であって、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成した引っ掛け具本体と、上端には、引っ掛け具本体の掛止部に掛止可能な被掛止部を設け、その下端には、簾を係止可能な吊下げ部を形成してなる吊下げ体と、よりなることを特徴とする。
【００１１】
請求項３に係る簾用の引っ掛け具は、請求項２において、吊下げ体は、帯状に形成すると共に、上下方向に所定の間隔をあけて被掛止部を構成する複数の孔部が開設され、所望の孔部を引っ掛け具本体の掛止部に掛止して吊下げ体の長さ調整を可能な構造にしている。
【００１２】
請求項４に係る簾用の引っ掛け具は、請求項１〜３の何れかにおいて、上下方向に所定の間隔をあけて複数の掛止部を形成したことを特徴とする。
【００１３】
請求項５に係る簾取付構造は、建物開口部の外側上部に設けられた雨戸収納部材に取付けられ、連結部を介して一片と他片が開閉自在であって、これら一片と他片の裏面には粘着層が設けられ、上記一片には、外側に向けて突出された掛止部を形成すると共に、この
一片の上端には、内側に向けて突設した係止部を形成した簾用の引っ掛け具を構成し、上記引っ掛け具の一片の係止部を、雨戸収納部材の前面側の上端角隅部に係止させると共に、一片及び他片を粘着層を介して雨戸収納部材に貼着し、且つ、引っ掛け具の掛止部に、簾の上部骨材を引っ掛けてなることを特徴とする。
【００１４】
請求項６に係る簾取付構造は、建物開口部の外側上部に設けられた雨戸収納部材に取付けられ、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成した引っ掛け具本体と、上端には、引っ掛け具本体の掛止部に掛止可能な被掛止部を設け、その下端には、簾を係止可能な吊下げ部を形成してなる吊下げ体と、よりなる簾用の引っ掛け具を構成し、上記引っ掛け具本体の一片の係止部を、雨戸収納部材の前面側の上端角隅部に係止させると共に、一片及び他片を粘着層を介して雨戸収納部材に貼着し、且つ、引っ掛け具本体の掛止部に、吊下げ体の被掛止部を掛止すると共に、この吊下げ体の吊下げ部に、簾の上部骨材を引っ掛けてなることを特徴とする。
【００１５】
請求項７に係る簾用の引っ掛け具は、建物開口部の外側上部に設けられた雨戸収納部材に取付けられる簾用の引っ掛け具であって、曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成してなり、前記粘着層を除く全ての部位が、一体成形されたことを特徴とする。
【００１６】
請求項８に係る簾用の引っ掛け具は、請求項７において、一片の下端には、簾を係止可能な吊下げ体が、更に一体成形されたことを特徴とする。
【００１７】
請求項９に係る簾用の引っ掛け具は、請求項８において、吊下げ体は、帯状に形成すると共に、上下方向に所定の間隔をあけて被掛止部を構成する複数の孔部が開設され、所望の孔部を引っ掛け具本体の掛止部に掛止して吊下げ体の長さ調整を可能な構造にしている。
【００１８】
請求項１０に係る簾用の引っ掛け具は、請求項７〜９の何れかにおいて、上下方向に所定の間隔をあけて複数の掛止部を形成したことを特徴とする。
【００１９】
請求項１１に係る簾取付構造は、建物開口部の外側上部に設けられた雨戸収納部材に取付けられ、曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成し、前記粘着層を除く全ての部位が一体成形された簾用の引っ掛け具を構成し、上記引っ掛け具の一片の係止部を、雨戸収納部材の前面側の上端角隅部に係止させると共に、一片及び他片を粘着層を介して雨戸収納部材に貼着し、且つ、引っ掛け具の掛止部に、簾の上部骨材を引っ掛けてなることを特徴とする。
【００２０】
請求項１２に係る簾取付構造は、建物開口部の外側上部に設けられた雨戸収納部材に取付けられ、曲げ自在な連結部を介して一片と他片とが曲げ可能に形成されると共に、これら一片と他片の裏面には粘着層を設け、且つ、上記一片には、外側に向けて突出された掛止部を形成すると共に、この一片の上端には、内側に向けて突設した係止部を形成し、前記粘着層を除く全ての部位が一体成形された引っ掛け具本体と、前記一片の下端には、下方に向けて一体成形された簾を係止可能な吊下げ部を形成し、この吊下げ部には、前記引っ掛け具本体の掛止部に掛止可能な被掛止部を設けてなる吊下げ体と、よりなる簾用の引っ掛け具を構成し、上記引っ掛け具本体の一片の係止部を、雨戸収納部材の前面側の上端角隅部に係止させると共に、一片及び他片を粘着層を介して雨戸収納部材に貼着し、且つ、引っ掛け具本体の掛止部に、吊下げ体の被掛止部を掛止すると共に、この吊下げ体の吊下げ部に、簾の上部骨材を引っ掛けてなることを特徴とする。
【発明の効果】
【００２１】
本発明によれば、次のような効果がある。
請求項１、請求項５に係る簾用の引っ掛け具及びこれを用いた簾取付構造によれば、一片と他片の裏面に粘着層を設けているので、簾を雨戸収納部材に簡単に取付けできる。
【００２２】
また、連結部を介して一片と他片が開閉自在であるので、雨戸収納部材の外面に対して、一片及び他片の何れもが十分に面接触され、貼着できる。
【００２３】
また、一片の上端に係止部を形成しているので、この係止部が雨戸収納部材の前面側の上端角隅部に係止され、この係止力と粘着層の粘着力の協働によって、掛止部に掛止される簾の加重にも十分耐えて簾を確実に取付けることができる。
【００２４】
請求項２、請求項６に係る簾用の引っ掛け具及びこれを用いた簾取付構造によれば、引っ掛け具本体によって請求項１、請求項５と同様の効果が得られるうえ、吊下げ体を介して簾を吊下げできるため、例えば、雨戸収納部材が窓の外側上部の高い位置に設置されている場合でも、簾を窓の位置に合わせて確実に吊り下げできる。
【００２５】
請求項３に係る簾用の引っ掛け具によれば、吊下げ体の上下方向に所定の間隔をあけて設けた複数の孔部のうち、所望の孔部を引っ掛け具本体の掛止部に掛止するだけで、吊下げ体の長さを簡単に調整できる。
【００２６】
請求項４に係る簾用の引っ掛け具によれば、上下方向に所定の間隔をあけて複数の掛止部を形成しているので、所望の掛止部に簾又は吊下げ体の被掛止部を掛止するだけで、簾又は吊下げ体の掛止位置を簡単に調整できる。
【００２７】
請求項７、請求項１１に係る簾用の引っ掛け具及びこれを用いた簾取付構造によれば、請求項１、請求項５と同様の効果を発揮できると共に、粘着層を除く全ての部位が、一体成形されているので、部品点数を減少することができ、更に、雨戸収納部材の形状、強度に応じた加工も容易にできる。
【００２８】
請求項８、請求項１２に係る簾用の引っ掛け具及びこれを用いた簾取付構造によれば、請求項２、請求項６と同様の効果を発揮できると共に、粘着層を除く全ての部位が、一体成形されているので、部品点数を減少することができ、更に、雨戸収納部材の形状、強度に応じた加工も容易にできる。
【００２９】
請求項９に係る簾用の引っ掛け具によれば、上下方向に所定の間隔をあけて複数の孔部が開設されているので、所望の孔部を一片の掛止部に掛止して、吊下げ体の長さ調整を簡単に調整できる。
【００３０】
請求項１０に係る簾用の引っ掛け具によれば、上下方向に所定の間隔をあけて複数の掛止部を形成しているので、所望の掛止部に簾又は吊下げ体の被掛止部を掛止するだけで、簾又は吊下げ体の掛止位置を簡単に調整できる。
【発明を実施するための最良の形態】
【００３１】
以下、本発明に係る簾用の引っ掛け具Ａを図面とともに説明する。
【実施例１】
【００３２】
図１は、本発明に係る簾用の引っ掛け具Ａ及びこれを用いた簾取付構造の一実施例を示す使用状態図であり、図２（ａ）、（ｂ）は、図１で示した簾用の引っ掛け具Ａを示す斜視図及び断面図である。
【００３３】
本発明の引っ掛け具Ａは、窓・出入口等の建物開口部Ｗの外側上部に設けられた雨戸収納部材Ｘに取付けられる簾Ｙ用の引っ掛け具であって、詳しくは、雨戸収納部材Ｘに簾Ｙを取付けるための専用の引っ掛け具であって、一般的な引っ掛け具とは区別されるものである。
【００３４】
この引っかけ具Ａは、板状に形成された一片１と他片２とが、連結部３を介して開閉自在な構造にしている。
【００３５】
本実施例の連結部３は、一片１の両側上端に環状部３１を形成し、この環状部３１に他片２の連結側両端に設けた突片３２を挿通して、一片１と他片２が開閉可能な構造にしている。但し、図例以外の構造であっても、一片１と他片２とが開閉可能な構造、例えば、蝶番などの構造であっても構わない。
【００３６】
ここで、雨戸収納部材Ｘの上面は、水平とは限らず、雨水が溜まらないように、雨水の流れ勾配が付いていたり、また、シャッターを収納するスペース的なことと、デザイン的なことで、雨戸収納部材Ｘの上面に角度が付く場合があり、これらの雨戸収納部材Ｘの形状に対しても、引っ掛け具Ａは、板状に形成された一片１と他片２とが連結部３を介して開閉自在となっているため、対応可能となる。
【００３７】
そして、これら一片１と他片２の裏面には、何れも粘着層４を設けている。
【００３８】
この粘着層４とは、雨戸収納部材Ｘに釘、ネジ等を貫通させて固定することなく、一片１及び他片２を雨戸収納部材Ｘに貼着して固定できるものを意味し、ここでは、一片１及び他片２の裏面に両面テープを貼着し、更に、当該両面テープに離型紙を備えたものを例示している。
【００３９】
一片１には、その略中央を逆Ｕ状に切り欠き、その切り欠かれた片を外側に向けて切り起こして突出させることで、簾Ｙの上部骨材Ｙ１を掛止可能な掛止部５を形成している。
なお、掛止部５の形状は、簾Ｙの上部骨材Ｙ１の形状に応じて形成している。
【００４０】
そして、このように形成された一片１の上端には、本発明の特徴である内側に向けて突設した係止部６を形成している。
【００４１】
この係止部６は、雨戸収納部材Ｘの前面側の上端角隅部Ｘ１に係止される部位であり、ここでは、一片１の上端を内側に向けて、一片１と略直角に延設された係止部６を形成している。
【００４２】
このように構成した本発明の簾用の引っ掛け具Ａは、以下の要領で使用される。
【００４３】
先ず、雨戸収納部材Ｘに対して、引っ掛け具Ａの取付け位置を特定する。
【００４４】
この取付け位置を決めた後、引っ掛け具Ａを開放状態にして、一片１の係止部を、雨戸収納部材Ｘの前面側の上端角隅部Ｘ１に係止させる。
【００４５】
このとき、一片１の裏面に設けた粘着層４も同時に雨戸収納部材Ｘの前面側に貼着して仮止めする。
【００４６】
この仮止め後、他片２を閉止される方向に回動し、その裏面に設けた粘着層４を雨戸収納部材Ｘの上面側に貼着して固定する。
【００４７】
そして、このように固定された引っ掛け具Ａの掛止部５に、簾Ｙの上部骨材Ｙ１を引っ掛けて使用するのである。
【００４８】
このように本発明の簾用の引っ掛け具Ａによれば、一片１と他片２の裏面に粘着層４を設けているので、雨戸収納部材Ｘを貫通することなく取付けできる。
【００４９】
また、連結部３を介して一片１と他片２が開閉自在であるので、雨戸収納部材Ｘの前面と上面が直角でなくても、各々の外面に対して、一片１及び他片２の何れもが十分に面接触されて貼着できる。
【００５０】
更に、一片１の上端に形成された係止部６が、雨戸収納部材Ｘの前面側の上端角隅部Ｘ１にしっかりと係止され、この係止部６の係止力と、粘着層４の粘着力の協働によって、掛止部５に加わる簾の加重に十分耐えることができる。
【実施例２】
【００５１】
図３は、本発明に係る簾用の引っ掛け具本体Ｂ及びこれを用いた簾取付構造の他の実施例を示す使用状態図であり、図４（ａ）〜（ｃ）は、図３で示した簾用の引っ掛け具本体Ｂを示す斜視図及び断面図である。
【００５２】
ここで、図１及び図２と共通する部位には、共通の番号を付して、その説明は省略し、以下では、本実施例の特徴だけを説明する。
【００５３】
なお、図１及び図２は、建物開口部Wを構成する窓に設けられた雨戸レール（上レール）よりなる雨戸収納部材Ｘに簾Ｙ用の引っかけ具Ａを用いた簾取付構造を示したものであり、図３及び図４は、建物開口部Wを構成する出入口に設けられた下面開口箱体よりなる雨戸収納部材Ｘに簾Ｙ用の引っかけ具本体Ｂを用いた簾取付構造を示したものである。
【００５４】
この実施例で示した簾用の引っかけ具本体Ｂは、図１、図２で示した引っ掛け具Ａと同構造に形成された引っ掛け具本体Ｂに、更に、吊下げ体７を備えた構成にしたものである。
【００５５】
この吊下げ体７は、その上端に、引っ掛け具本体Ｂの掛止部５に掛止可能な被掛止部７１を設け、その下端には、簾Ｙを係止可能な吊下げ部７２を形成しており、簾Ｙが吊下げ体７を介して引っ掛け具本体Ｂの掛止部５に掛止される構成にされている。
【００５６】
本実施例の吊下げ体７は、簾Ｙの加重に耐え得る強度を備えた樹脂製シート又はゴム製シートや布等を帯状に形成すると共に、その下端を環状に形成して吊下げ部７２を構成し、この吊下げ部７２に、簾Ｙの上部骨材Ｙ１を引っ掛ける構造にしている。
【００５７】
この吊下げ部７２は、簾Ｙの上部骨材Ｙ１に応じた大きさに予め形成しても良いが、例えば、吊下げ体７の下端裏面に釦７３を設けると共に、この釦７３に着脱可能な釦受（不図示）を吊下げ体７の裏面適所に複数設けておけば、上部骨材Ｙ１の大きさ、形状等に応じて、釦７３を釦受（不図示）に止着するだけで、簾Ｙの上部骨材Ｙ１に応じた吊下げ部７２を形成することができる。
【００５８】
一方、吊下げ体７の上端には、引っ掛け具本体Ｂの掛止部５に掛止可能な被掛止部７１が形成されている。
【００５９】
この被掛止部７１は、上下方向に所定の間隔をあけた複数の孔部７１ａを開設して構成されており、所望の孔部７１ａを引っ掛け具本体Ｂの掛止部５に掛止して、吊下げ体７の長さ調整を可能にしている。
【００６０】
なお、選択された孔部７１ａの位置によっては、掛止部５に掛止された吊下げ体７の上部側が余ってしまうので、この場合には、不要な部分を鋏等で切断すれば、簡単に見栄え良くできる。
【００６１】
また、図４（ｃ）で示すように、引っ掛け具本体Ｂの掛止部５には、上下方向に所定の間隔をあけて複数の掛止部５、５・・・を形成しても良く、このような複数の掛止部５、５・・・を形成すれば、所望の掛止部５に簾Ｙ又は吊下げ体７の被掛止部７１を掛止するだけで、簾Ｙ又は吊下げ体７の掛止位置を簡単に調整できる。
【００６２】
このように構成した本発明の簾用の引っ掛け具本体Ｂは、以下の要領で使用される。
【００６３】
先ず、雨戸収納部材Ｘに対して、図１、図２と同じ要領で引っ掛け具本体Ｂを雨戸収納部材Ｘの上端角隅部Ｘ１に貼着して固定する。
【００６４】
そして、この固定した引っ掛け具本体Ｂの掛止部５に、吊下げ体７の被掛止部７１を掛止すると共に、この吊下げ体７の吊下げ部７２に、簾Ｙの上部骨材Ｙ１を引っ掛けて使用するのである。
【００６５】
このように本発明の簾用の引っ掛け具本体Ｂによれば、実施例１と同様の効果を得られるうえ、吊下げ体７を介して簾Ｙを吊下げできるため、例えば、雨戸収納部材Ｘが建物開口部Wの外側上部の高い位置に設置されている場合でも、簾Ｙを建物開口部Wの位置に合わせて確実に吊り下げできる。特に、図例のようなシャッター式雨戸を巻き取って収納する下面開口箱体よりなる雨戸収納部材Ｘのように、高さ寸法の異なる種々の雨戸収納部材Ｘに合わせて長さ調整（高さ調整）する際に有効に利用することができる。
【００６６】
また、吊下げ体７に設けた被掛止部７１を構成する複数の孔部７１ａのうち、所望の孔部７１ａを引っ掛け具本体Ｂの掛止部５に掛止するだけで、吊下げ体７の長さを簡単に調整できる。
【実施例３】
【００６７】
図５（ａ）、（ｂ）は、本発明に係る簾用の引っ掛け具Ａの他の実施例を示す斜視図である。
【００６８】
ここで、図１〜図４と共通する部位には、共通の番号を付して、その説明は省略し、以下では、本実施例の特徴だけを説明する。
【００６９】
この簾用の引っ掛け具Ａは、建物開口部Ｗの外側上部に設けられた雨戸収納部材Ｘに取付けられる簾Ｙ用の引っ掛け具Ａであって、弾性、屈曲性等によって曲げ自在な連結部１ａを介して一片１と他片２とが曲げ可能に維持して形成されると共に、これら一片１と他片２の裏面には粘着層４を設け、且つ、一片１には、外側に向けて突出された掛止部５を形成すると共に、この一片１の上端には、内側に向けて突設した係止部６を形成してなり、粘着層４を除く全ての部位が、一体成形されていることを特徴とする。
【００７０】
図５（ａ）では、連結部１ａが、一片１と他片２との両側に形成され、これら一片１と他片２との間に、係止部６が形成されたものを示し、  図５（ｂ）では、連結部１ａが、一片１と他片２との端部全体に形成されると共に、一片１の端部全体に係止部６が内側に向けて併設されたものを各々示している。
【００７１】
何れも、弾性、屈曲性等によって曲げ自在な連結部１ａ介して、一片１と他片２とが曲げ可能に維持して形成されており、これら一片１と他片２とが開放方向に開けば、内側に向けて弾性付勢される点では同じである。
【００７２】
また、ここでは、一片１と他片２とが略直角状態に形成されて曲げ可能であるものを例示しているが、例えば、一片１と他片２とが内側に鋭角な状態で維持されるように形成しておけば、これら一片１と他片２とが開放方向に開けば、より強い弾性付勢力が得られることは勿論である。
【００７３】
なお、この簾用の引っ掛け具Ａは、合成樹脂材料で一体成形するのが好ましいが、金属薄板を曲げ加工して一体成形されたものであっても構わない。
【００７４】
このように、本実施例で示した簾用の引っ掛け具Ａによれば、粘着層４を除く全ての部位が、一体成形されているので、図１〜図４で示したものよりも、部品点数を減少することができ、更に、雨戸収納部材の形状、強度に応じた加工も容易にできる。
【００７５】
図６（ａ）、（ｂ）は、図５で示した本発明に係る簾用の引っ掛け具Ａの更に他の実施例を示す斜視図である。
【００７６】
ここで、図５と共通する部位には、共通の番号を付して、その説明は省略し、以下では、本実施例の特徴だけを説明する。
【００７７】
この簾Ｙ用の引っ掛け具Ａは、図５で示された一片１の下端に、簾Ｙを係止可能な吊下げ体７が、更に一体成形されたことを特徴とする。
【００７８】
この吊下げ体７は、曲げ自在な帯状に形成すると共に、下端側には、上下方向に所定の間隔をあけて複数の孔部７１ａが開設され、所望の孔部７１ａを一片１の掛止部５に掛止して、吊下げ体７の長さ調整を可能な構造にしている。
【００７９】
図６（ａ）では、一片１の外側には、１つの掛止部５が形成され、吊下げ体７の所望の孔部７１ａを、この掛止部５に掛止して、吊下げ体７の長さ調整を可能な構造にしたものを示し、図６（ｂ）では、吊下げ体７の上下方向に所定の間隔をあけて複数の掛止部５、５・・・が更に形成され、吊下げ体７の所望の孔部７１ａを、所望の掛止部５に掛止して、吊下げ体７の長さ調整を可能な構造にしたものを示している。
【００８０】
この本実施例で示した簾用の引っ掛け具Ａによれば、粘着層４を除く全ての部位が、一体成形されているので、図５と同様、部品点数を減少することができ、更に、雨戸収納部材の形状、強度に応じた加工も容易にできることに加え、複数の孔部７１ａが開設されているので、これを掛止部５に掛止して、吊下げ体７の長さ調整を簡単に調整できる。
【００８１】
更に、一片１に複数の掛止部５、５・・・を形成すれば、簾Ｙ又は吊下げ体７の掛止位置を更に大幅に調整できる。
【００８２】
なお、図５及び図６で示した簾用の引っ掛け具Ａを用いた簾取付構造は、図１、図３と同様であるため、ここでの説明は省略する。
【００８３】
また、図７は、建物開口部Wを構成する窓に設けられた雨戸レール（上レール）よりなる雨戸収納部材Ｘに図３及び図４で示した簾Ｙ用の引っかけ具本体Ｂを用いた簾取付構造を示したものであり、図８は、建物開口部Wを構成する出入口に設けられた下面開口箱体よりなる雨戸収納部材Ｘに図３及び図４で示した簾Ｙ用の引っかけ具Ａを用いた簾取付構造を示したものであるが、このような態様で使用しても構わないことは勿論である。
【産業上の利用可能性】
【００８４】
本発明は、雨戸収納部材を貫通することなく簾を取付け可能であって、取付けられた簾の加重にも十分耐えることのできる簾用の引っ掛け具及びこれを用いた簾取付構造として有効に利用することが可能である。
【図面の簡単な説明】
【００８５】
【図１】本発明に係る簾用の引っ掛け具Ａ及びこれを用いた簾取付構造の一実施例を示す使用状態図である。
【図２】（ａ）、（ｂ）は、図１で示した簾用の引っ掛け具Ａを示す斜視図及び断面図である。
【図３】本発明に係る簾用の引っ掛け具本体Ｂ及びこれを用いた簾取付構造の他の実施例を示す使用状態図である。
【図４】（ａ）、（ｂ）は、図３で示した簾用の引っ掛け具本体Ｂを示す斜視図及び断面図である。
【図５】（ａ）、（ｂ）は、本発明に係る簾用の引っ掛け具Ａの他の実施例を示す斜視図である。
【図６】（ａ）、（ｂ）は、図５で示した本発明に係る簾用の引っ掛け具Ａの更に他の実施例を示す斜視図である。
【図７】本発明に係る簾用の引っ掛け具本体Ｂ及びこれを用いた簾取付構造の更に他の実施例を示す使用状態図である。
【図８】本発明に係る簾用の引っ掛け具Ａ及びこれを用いた簾取付構造の更に他の実施例を示す使用状態図である。
【符号の説明】
【００８６】
Ａ      簾用の引っ掛け具
Ｂ      簾用の引っ掛け具本体
Ｗ      建物開口部
Ｘ      雨戸収納部材
Ｘ１    上端角隅部
Ｙ      簾
Ｙ１    上部骨材
１      一片
１ａ    連結部
２      他片
３      連結部
４      粘着層
５      掛止部
６      係止部
７      吊下げ体
７１    被掛止部
７１ａ  孔部
７２    吊下げ部
【図１】
2006167438.tif 000003
【図２】
2006167438.tif 000004
【図３】
2006167438.tif 000005
【図４】
2006167438.tif 000006
【図５】
2006167438.tif 000007
【図６】
2006167438.tif 000008
【図７】
2006167438.tif 000009
【図８】
2006167438.tif 000010